(57)【特許請求の範囲】
【請求項１】
薬剤を包装した容器本体と、
ラベル基材の裏面に粘着剤層を備え、前記ラベル基材を前記容器本体の表面に巻回し、前記粘着剤層にて貼着されたラベルと、
を備え、
前記ラベル基材は、下層ラベル部と、前記下層ラベル部上の部分領域に重ね合わせ貼着される上層ラベル部とからなり、
前記下層ラベル部と前記上層ラベル部との重ね合わせ貼着面は、剥離層を介して易剥離可能に設けられ、
前記下層ラベル部と前記上層ラベル部とが、ミシン目を介して互いに切り離し可能に連設されており、
前記上層ラベル部には、前記薬剤に関する禁止情報または注意喚起情報が印刷されていることを特徴とする薬剤容器。
【請求項２】
薬剤を包装した容器本体と、
ラベル基材の裏面に粘着剤層を備え、前記ラベル基材を前記容器本体の表面に巻回し、前記粘着剤層にて貼着されたラベルと、
を備え、
前記ラベル基材は、下層ラベル部と、前記下層ラベル部上の全部領域に重ね合わせ貼着される上層ラベル部とからなり、
前記下層ラベル部と前記上層ラベル部との重ね合わせ貼着面は、剥離層を介して易剥離可能に設けられ、
前記下層ラベル部と前記上層ラベル部とが、ミシン目を介して互いに切り離し可能に連設されており、
前記上層ラベル部には、前記薬剤に関する禁止情報または注意喚起情報が印刷されていることを特徴とする薬剤容器。
【発明の詳細な説明】
【０００１】
【発明の属する技術分野】
本発明は、二層構造ラベルが貼着された薬剤容器に関する。
【０００２】
【従来の技術】
従来の二層構造のラベルとしては、例えば、図９に示すように、ラベル基材２１の裏面に粘着剤層２２を備えた第１のラベル２４（下層ラベル部）と、ラベル基材２７の裏面に粘着剤層２８を備えた第２のラベル２６（上層ラベル部）が、前記下層ラベル部のラベル基材２１の表面に備えた透明剥離剤層２５を介して、互いに貼着されている二層構造ラベルがある。
【０００３】
上記二層構造ラベルは、その粘着剤層２２に剥離シート２３が仮貼着されていて、該剥離シート２３を剥離した後、粘着剤層２２を介して適宜な物品に貼着して使用する。
【０００４】
例えば、上記下層ラベル部２４のラベル基材２１上面には適宜情報（例えば、当たり、外れなどの抽選情報）を表示した印刷層２９が施され、この印刷層２９は上層ラベル部２６によって隠蔽されている。また、上層ラベル部２６のラベル基材２７上面又は上下面にも適宜情報を表示した印刷層（図示せず）が施されている。
【０００５】
上記二層構造ラベルの下層ラベル部２４から剥離剤層２５を介して上層ラベル部２６を剥離することにより、隠蔽されていた印刷層２９が露呈されて、その印刷情報が観察できるようになっている。
【０００６】
従来の上記二層構造ラベルの製造においては、下層のラベル基材２１、粘着剤層２２、剥離シート２３をこの順に積層した長尺状の積層シートのロール原反を巻き出しながら、その積層シートの基材２１表面に印刷を施し、印刷層２９を設け、次に上層ラベル基材２７の表裏面にも印刷を施す。
【０００７】
続いて、前記下層のラベル基材２１の印刷層２９上より透明な剥離剤を塗布して剥離剤層２５を設け、下層ラベル部２４を形成し、続いて、上層のラベル基材２７の裏面に粘着剤を塗布して粘着剤層２８を設け、上層ラベル部２６を形成する。
【０００８】
次に、下層ラベル部２４と上層ラベル部２６とを、互いに印刷見当を整合しつつ貼り合わせ、貼り合わせ後に任意のサイズ、パターンに型抜きを行って、二層構造ラベルを製造している。
【０００９】
【発明が解決しようとする課題】
このように従来の二層構造ラベルにおいては、一層構造ラベルと比較し、その製造における製造工程が複雑になり、良好な生産性が得られないという問題がある。
【００１０】
また、下層ラベル部２４と上層ラベル部２６とを貼り合わせた後に、型抜きを行って二層構造ラベルを製造しているため、下層ラベル部２４と上層ラベル２６とが同一サイズのラベルしか製造できないといった不都合もある。
【００１１】
【課題を解決するための手段】
本発明の第一の態様は、薬剤を包装した容器本体と、ラベル基材の裏面に粘着剤層を備え、前記ラベル基材を前記容器本体の表面に巻回し、前記粘着剤層にて貼着されたラベルとを備え、前記ラベル基材は、下層ラベル部と、前記下層ラベル部上の部分領域に重ね合わせ貼着される上層ラベル部とからなり、前記下層ラベル部と前記上層ラベル部との重ね合わせ貼着面は、剥離層を介して易剥離可能に設けられ、前記下層ラベル部と前記上層ラベル部とが、ミシン目を介して互いに切り離し可能に連設されており、前記上層ラベル部には、前記薬剤に関する禁止情報または注意喚起情報が印刷されていることを特徴とする薬剤容器である。
【００１２】
本発明の第二の態様は、薬剤を包装した容器本体と、ラベル基材の裏面に粘着剤層を備え、前記ラベル基材を前記容器本体の表面に巻回し、前記粘着剤層にて貼着されたラベルとを備え、前記ラベル基材は、下層ラベル部と、前記下層ラベル部上の全部領域に重ね合わせ貼着される上層ラベル部とからなり、前記下層ラベル部と前記上層ラベル部との重ね合わせ貼着面は、剥離層を介して易剥離可能に設けられ、前記下層ラベル部と前記上層ラベル部とが、ミシン目を介して互いに切り離し可能に連設されており、前記上層ラベル部には、前記薬剤に関する禁止情報または注意喚起情報が印刷されていることを特徴とする薬剤容器である。
【００２３】
【発明の実施の形態】
本発明の薬剤容器に使用される二層構造ラベルの実施の形態を、図１（ａ）〜（ｂ）に示す平面図及び図２に基づいて、以下に詳細に説明すれば、本発明の二層構造ラベル類Ｌは、そのラベル基材１が、下層ラベル部４と、上層ラベル部６とにより構成され、そのラベル基材１の裏面には、物品に貼着するための粘着剤層２が塗布形成されている。
【００２４】
ラベル基材１は、紙製シート、透明乃至不透明なプラスチック製フィルム（シート）、金属箔シート、あるいはそれらの複合シートが使用でき、ラベル基材１の下層ラベル部４及び上層ラベル部６のそれぞれ表面又は／及び裏面には、適宜にラベル用途に応じた情報伝達用の印刷情報など印刷層が施され、例えば下層ラベル部４の表面には表示情報Ａ、上層ラベル部６の表面には伝達用の表示情報Ｂが表示される。
【００２５】
また、上記二層構造ラベル類Ｌは、下層ラベル部４のラベル基材長手方向の長さをａ1 、上層ラベル部６のラベル基材長手方向の長さをａ2 としたとき、
ａ1 ＞ａ2
に設定されている。
【００２６】
なお、上記二層構造ラベル類Ｌを構成する上層ラベル部６の幅（ラベル基材長手方向に対して直交方向の長さ）は、下層ラベル部４の幅と同じ幅でもよいし、下層ラベル部４の幅より小さくてもよい。
【００２７】
また、ラベル類Ｌのラベル基材１は、下層ラベル部４と、該下層ラベル部４の一端部に連設した上層ラベル部６とにより構成されている。
【００２８】
また、ラベル類Ｌを巻き付け貼着する対象物品( 被着体) の巻き付け（巻回）方向の表面の全周長をφとしたとき、少なくとも下層ラベル部４の長さａ1 は、
ａ1 ＝φ  （又はａ1 ≒φ）
に設定されている。
【００２９】
さらに、二層構造ラベル類Ｌは、物品表面の全周長φに、その下層ラベル部４の外端側から順次巻き付けた際に、下層ラベル部４はその全長ａ1が物品表面の全周長の表面に粘着剤層２を介して貼着され、上層ラベル部６は下層ラベル部４外端部の上面に長さａ2に亘って重ね合わせられ貼着されるようになっている。
【００３０】
図１（ａ）に示すように、二層構造ラベル類Ｌの前記下層ラベル部４上面の上層ラベル部６との重ね合わせ面４ａには、透明乃至不透明な剥離剤による剥離剤層５が設けられていて、下層ラベル部４の端部面上に長さａ2 に亘って重ね合わせられ貼着される上層ラベル部６は、粘着剤層２を介して下層ラベル部４面に貼着され、しかも剥離剤層５を介して容易に剥離可能となっている。
【００３１】
また、図１（ａ）に示すように、本発明の二層構造ラベル類Ｌの下層ラベル部４と上層ラベル部６との連設部にはミシン目３が印刷形成（又は刻切形成）されていて、上層ラベル部６は下層ラベル部４面より剥離した後に、該ミシン目３から切り離し可能となっている。
【００３２】
また、図１（ｂ）に示すように、そのラベル類Ｌの裏面に形成された粘着剤層２を介して、その１枚乃至複数枚が、枚葉シート状若しくは長尺ロールシート状の剥離シート１１面上に、剥離可能に仮貼着されて配置されて、二層構造ラベル類ＬのラベルシートＳを構成している。
【００３３】
なお、上記ラベルシートＳは、剥離シート１１面にラベル基材１を仮貼着した後に、そのラベル基材１を二層構造ラベル類Ｌの形状に型抜きした二層構造ラベル類Ｌであってもよく、その型抜き形状の外側には余白ラベル基材１（剥離シート１１上に残る基材）が仮貼着されていてもよい。
【００３４】
図２は、上記二層構造ラベル類Ｌを容器等の物品に巻き付け、そのラベル類Ｌの巻回両端部を重ね合わせ貼着した部分側断面図であり、下層ラベル部４の端部面の剥離剤層５上には、粘着剤層２を介して上層ラベル部６が貼着されていて、下層ラベル部４と上層ラベル６とによる二層構造ラベルを構成している。
【００３５】
また、図示するように、例えば下層ラベル部４の上面には、適宜印刷層７が設けられ、また上層ラベル部６の上面にも、適宜印刷層８が設けられ、例えば下層ラベル部４の表面には表示情報Ａ、上層ラベル部６の表面には伝達用の表示情報Ｂが表示される。
【００３６】
そして上層ラベル部６は、剥離剤層５を介して下層ラベル部４より剥離でき、適宜にミシン目３などを介して切り離しでき、切り離した後の上層ラベル部６は適宜に他の物品に貼着して、情報伝達用ラベルや物品発送用ラベル、業務指示用ラベル等の各種用途に使用することができる。
【００３７】
図３に平面図で示すラベル類Ｌは、下層ラベル部４と、上層ラベル部６とにより構成され、そのラベル基材１の裏面には、物品に貼着するための粘着剤層２が塗布形成されている。
【００３８】
そして、前記ラベル基材１の下層ラベル部４と、上層ラベル部６とは、互いに分離している形態の二層構造ラベル類Ｌである。
【００３９】
また、この二層構造ラベル類Ｌは、巻き付け貼着する対象物品(被着体)の巻き付け（巻回）方向の表面の全周長をφとしたとき、少なくとも下層ラベル部４の長さａ1は、
ａ1≦φ
に設定されている。
【００４０】
図３上側に示すように、二層構造ラベル類Ｌの下層ラベル部４上面の上層ラベル部６との重ね合わせ面４ａには、透明乃至不透明な剥離剤による剥離剤層５が設けられていて、下層ラベル部４の端部面上に長さａ2 に亘って重ね合わせられ貼着される上層ラベル部６は、粘着剤層２を介して下層ラベル部４の剥離剤層５上に貼着され、しかも剥離剤層５を介して容易に剥離可能となっている。
【００４１】
また、図３下側に示すように、二層構造ラベル類Ｌを構成する下層ラベル部４と上層ラベル部６の１対乃至複数対が、それぞれその裏面に形成された粘着剤層２を介して、枚葉シート状若しくは長尺ロールシート状の剥離シート１１面上に剥離可能に仮貼着されて配置され、二層構造ラベル類ＬのラベルシートＳを構成している。
【００４２】
なお、上記ラベルシートＳは、剥離シート１１面にラベル基材１を仮貼着した後に、そのラベル基材１を二層構造ラベル類Ｌの形状に型抜きした二層構造ラベル類Ｌであってもよく、その型抜き形状の外側には余白ラベル基材１（剥離シート１１上に残る基材）が仮貼着されていてもよい。
【００４３】
二層構造ラベル類Ｌを構成する剥離シート１１面上に仮貼着状態で分離配置される下層ラベル部４と上層ラベル部６の互いの分離間隔について、図３に基づいて以下に説明する。
【００４４】
下層ラベル部４は、剥離シート１１の物品表面全周長φに相当する領域内に配置され、上層ラベル部６は、その領域の次に隣接する同相当領域内に配置されるものである。
【００４５】
二層構造ラベル類Ｌは、その下層ラベル部４を、その外端側から、剥離シート１１面より剥離しながら物品表面全周長φに順次巻き付けた際に、下層ラベル部４は、その全長ａ1 （ａ1 ≦φ）が物品表面の全周長φの表面に粘着剤層２を介して貼着され、続いて上層ラベル部６は下層ラベル部４外端部の上面に長さａ2 に亘って重ね合わせられ貼着される。
【００４６】
ここで、剥離シート１１の物品表面全周長φに相当する１つの領域内に配置した下層ラベル部４の長さａ1 と物品表面全周長φとの差φ−ａ1 ＝ｂとし、その領域の一端部から次に隣接する物品表面全周長φに相当する領域の上層ラベル部６の端部までの間隔をφ−ａ2 ＝ｃとすれば、下層ラベル部４と上層ラベル部６との間隔ｄは、
ｄ＝ｂ＋ｃ    （ｂ≧０、ｃ≧０）
となる。
【００４７】
図４は、二層構造ラベル類Ｌの下層ラベル部４を容器等の物品に巻き付け、その下層ラベル部４の剥離剤層５上に上層ラベル部６を重ね合わせ貼着した部分側断面図であり、下層ラベル部４の端部面の剥離剤層５上には、粘着剤層２を介して上層ラベル部６が貼着されていて、下層ラベル部４と上層ラベル６とによる二層構造ラベルを構成している。
【００４８】
同図４に示すように、物品に巻き付けた下層ラベル部４の両端部の間隔は、
φ−ａ1 ＝ｂ
となり、また、その下層ラベル部４の一端部と、その端部の剥離剤層５上に重ね合わせた上層ラベル部６の一端部との重ね合わせずれ量は、
φ−ａ2 ＝ｃ
となり、また、その下層ラベル部４の他端部と、下層ラベル部４の一端部の剥離剤層５上に重ね合わせた上層ラベル部６の一端部との間隔は、
ｄ＝ｂ＋ｃ
となる。
【００４９】
上述した二層構造ラベル類Ｌは、例えば、内用薬（内服薬、経口薬）と、外用薬と、点滴用薬液及び注射用薬液との薬剤（薬液、錠剤）の明確な使い分けができるように、それぞれ内用薬用、外用薬用、点滴用若しくは注射用など、その薬液の用途を明確に印刷表示するとともに、下層ラベル部４の表面には情報Ａとして、その薬剤の名称、銘柄、用途、組成、使用方法など、上層ラベル部６の表面には伝達用の表示情報Ｂとして、その薬剤の禁止情報・注意喚起情報を表示して、薬剤を包装した容器の表面に貼着して使用する。
【００５０】
例えば、その薬剤容器に貼着された二層構造ラベル類Ｌの上層ラベル部６表面には、情報Ｂとして注射液としての使用を禁止する旨の印刷表示（例えば赤色などにて「禁注射」など強調表示）、又は点滴液としての使用を禁止する旨の表示（例えば青色などにて「禁点滴」など強調表示）を印刷表示する。
【００５１】
そして、その薬液容器内の薬液を使用するために、その薬液を他の点滴用器具又は注射用器具（例えば薬液吸入用の注射筒など）に移し替えた時には、上層ラベル部６をその容器の二層構造ラベル類Ｌから剥離して切り離し、その移し替えた後の点滴用器具又は注射用器具の表面に貼着することにより、例えば注射液としての使用を禁止する旨の注意、又は点滴液としての使用を禁止する旨の注意を使用者に喚起するためのラベルとして使用するものである。
【００５２】
次に、二層構造ラベル類の他の形態を、図５に示す平面図に基づいて以下に詳細に説明すれば、図５に示すように、そのラベル類Ｌのラベル基材１は、下層ラベル部４と、上層ラベル部６とにより構成され、そのラベル基材１の裏面には、物品に貼着するための粘着剤層２が塗布形成されている。
【００５３】
上記ラベル基材１は下層ラベル部４と該下層ラベル部４上の全部領域に重ね合わせ貼着される上層ラベル部６とからなり、該下層ラベル部４と上層ラベル部６との重ね合わせ貼着面は、剥離層５を介して易剥離可能に設けられている。
【００５４】
上記ラベル基材１は、紙製シート、透明乃至不透明なプラスチック製フィルム（シート）、金属箔シート、あるいはそれらの複合シートが使用でき、ラベル基材１の下層ラベル部４及び上層ラベル部６のそれぞれ表面又は／及び裏面には、適宜にラベル用途に応じた情報伝達用の印刷情報など印刷層が施されている。
【００５５】
また、上記二層構造ラベル類Ｌは、下層ラベル部４のラベル基材長手方向の長さをａ1 、上層ラベル部６のラベル基材長手方向の長さをａ2 としたとき、
ａ1 ＝ａ2   （又はａ1 ≒ａ2 ）
に設定されている。
【００５６】
なお、上記二層構造ラベル類Ｌを構成する上層ラベル部６の幅（ラベル基材長手方向に対して直交方向の長さ）は、下層ラベル部４の幅と同じ幅でもよいし、下層ラベル部４の幅より小さくてもよい。
【００５７】
また、図５に示すように、ラベル類Ｌのラベル基材１は、下層ラベル部４と、該下層ラベル部４の一端部に連設した上層ラベル部６とにより構成されている。
【００５８】
また、ラベル類Ｌを巻き付け貼着する対象物品( 被着体) の巻き付け（巻回）方向の表面の全周長をφとしたとき、下層ラベル部４の長さａ1 は、上層ラベル部６の長さａ2 は、
ａ1 ＝ａ2 ＝φ  （又はａ1 ＝ａ2 ≒φ）
に設定されている。
【００５９】
この二層構造ラベル類Ｌは、物品表面の全周長φに、その下層ラベル部４の外端側から順次巻き付けた際に、下層ラベル部４はその全長ａ1が物品表面の全周長の表面に粘着剤層２を介して貼着され、上層ラベル部６は下層ラベル部４外端部の上面に長さａ2（ａ2＝ａ1）に亘って、即ち下層ラベル部４の全面に上層ラベル部６が重ね合わせられ、貼着されるようになっている。
【００６０】
図５に示すように、二層構造ラベル類Ｌの下層ラベル部４全面の上層ラベル部６との重ね合わせ面４ａには、透明乃至不透明な剥離剤による剥離剤層５が設けられていて、下層ラベル部４面上に長さａ2（ａ2＝ａ1）に亘って重ね合わせられ貼着される上層ラベル部６は、粘着剤層２を介して下層ラベル部４面に貼着され、しかも剥離剤層５を介して容易に剥離可能となっている。
【００６１】
また、図５に示すように、二層構造ラベル類Ｌの下層ラベル部４と上層ラベル部６との連設部にはミシン目３が印刷形成（又は刻切形成）されていて、上層ラベル部６は下層ラベル部４面より剥離した後に、該ミシン目３から切り離し可能となっている。
【００６２】
また、図５に示す二層構造ラベル類Ｌは、下層ラベル部４と上層ラベル部６の１対乃至複数対が、それぞれその裏面に形成された粘着剤層２を介して、枚葉シート状若しくは長尺ロールシート状の剥離シート１１面上に剥離可能に仮貼着されて配置され二層構造ラベル類ＬのラベルシートＳを構成している。
【００６３】
なお、上記ラベルシートＳは、剥離シート１１面にラベル基材１を仮貼着した後に、そのラベル基材１を二層構造ラベル類Ｌの形状に型抜きした二層構造ラベル類Ｌであってもよく、その型抜き形状の外側には余白ラベル基材１（剥離シート１１上に残る基材）が仮貼着されていてもよい。
【００６４】
図６に示す二層構造ラベル類は、ラベル基材１の下層ラベル部４と上層ラベル部６が、互いに分離している形態の二層構造ラベル類Ｌである。
【００６５】
この二層構造ラベル類Ｌは、図６に示すように、巻き付け貼着する対象物品(被着体)の巻き付け（巻回）方向の表面全周長をφとしたとき、少なくとも下層ラベル部４の長さａ1、上層ラベル部６の長さａ2は、図３に示す二層構造ラベル類Ｌと同様に、
ａ1＝ａ2≦φ
に設定されている。
【００６６】
図６に示す二層構造ラベル類Ｌは、図５に示す二層構造ラベル類Ｌと同様に、物品表面の全周長φに、その下層ラベル部４の外端側から順次巻き付けた際に、下層ラベル部４はその全長ａ1が物品表面の全周長の表面に粘着剤層２を介して貼着され、上層ラベル部６は下層ラベル部４外端部の上面に長さａ2（ａ2＝ａ1）に亘って、即ち下層ラベル部４の全面に上層ラベル部６が重ね合わせられ、貼着されるようになっている。
【００６７】
図６に示すように、二層構造ラベル類Ｌの下層ラベル部４全面の上層ラベル部６との重ね合わせ面４ａには、透明乃至不透明な剥離剤による剥離剤層５が設けられていて、下層ラベル部４面上に長さａ2（ａ2＝ａ1）に亘って重ね合わせられ貼着される上層ラベル部６は、粘着剤層２を介して下層ラベル部４面に貼着され、しかも剥離剤層５を介して容易に剥離可能となっている。
【００６８】
また、図６に示す二層構造ラベル類Ｌは、下層ラベル部４と上層ラベル部６の１対乃至複数対が、それぞれその裏面に形成された粘着剤層２を介して、枚葉シート状若しくは長尺ロールシート状の剥離シート１１面上に剥離可能に仮貼着されて配置され二層構造ラベル類ＬのラベルシートＳを構成している。
【００６９】
なお、上記ラベルシートＳは、剥離シート１１面にラベル基材１を仮貼着した後に、そのラベル基材１を二層構造ラベル類Ｌの形状に型抜きした二層構造ラベル類Ｌであってもよく、その型抜き形状の外側には余白ラベル基材１（剥離シート１１上に残る基材）が仮貼着されていてもよい。
【００７０】
また、図６に示す二層構造ラベル類Ｌを構成する剥離シート１１面上に仮貼着状態で分離配置される下層ラベル部４と上層ラベル部６の互いの分離間隔及び物品表面への貼着状態及びその二層構造状態は、前述の二層構造ラベル類Ｌ（図３参照）と同様であるので詳細は省略する。
【００７１】
なお、剥離シート１１の物品表面全周長φに相当する１つの領域内に配置した下層ラベル部４の長さａ1 と物品表面全周長φとの差φ−ａ1 ＝ｂとし、その領域の一端部から次に隣接する物品表面全周長φに相当する領域の上層ラベル部６の端部までの間隔をφ−ａ2 ＝ｃとすれば、下層ラベル部４と上層ラベル部６との間隔ｄは、
ｄ＝ｂ＋ｃ    （ｂ≧０、ｃ≧０）
となるが、図６は、ｃ＝０の場合について図示したものである。
【００７２】
上記二層構造ラベル類Ｌは、例えば、下層ラベル部４の上面に適宜印刷層７が設けられ、また上層ラベル部６の上面にも、適宜印刷層８が設けられる。
【００７３】
そして上層ラベル部６は、剥離剤層５を介して下層ラベル部４より剥離でき、適宜にミシン目３などを介して切り離しでき、切り離した後の上層ラベル部６は適宜に他の物品に貼着して、情報伝達用ラベルや物品発送用ラベル、業務指示用ラベル等の各種用途に使用することができる。
【００７４】
本発明の二層構造ラベル類Ｌのラベル基材１としては、透明乃至不透明なシート材が使用でき、例えば用紙、各種の合成樹脂フィルム（例えばポリエチレンテレフタレート（ＰＥＴ）フィルム、ポリプロピレンフィルムなど）、アルミニウム箔などが使用できる。不透明な合成樹脂フィルムとしては、印刷、着色等により不透明化したものが使用できる。
【００７５】
本発明の二層構造ラベル類Ｌの剥離剤層５としては、透明乃至不透明な溶剤揮散型又は紫外線硬化型のシリコーン樹脂やワックスなどが使用できる。
【００７６】
また、本発明の二層構造ラベル類Ｌの粘着剤層２としては、透明乃至半透明の粘着剤が使用でき、例えば、天然ゴム又は／及びブタジエン−スチレンゴム、アクリルゴム等の合成ゴムを主成分とするゴム系粘着剤、アクリル酸、アクリル酸ブチル、アクリル酸２エチルヘ  キシル等を主成分とするアクリル系粘着剤（東洋インキ製造（株）製；商品名；オリバインＢＰＷ４６５５；水性溶媒分散型のアクリル系エマルジョン型粘着剤）など、溶剤揮散型又は紫外線硬化型の粘着剤各種の感圧性接着剤（粘着剤）が使用できる。
【００７７】
また溶剤揮散型の粘着剤として、加熱により粘着性を帯びる感熱性粘着剤（剥離紙不使用の粘着剤）を必要に応じて使用してもよい。
【００７８】
前記接着剤層２に使用する透明乃至不透明な接着剤としては、溶剤揮散型接着剤、加熱溶融型接着剤、紫外線硬化型接着剤のいずれか１種が使用できる。
【００７９】
図７は、二層構造ラベル類Ｌを、被着体としてボトル容器Ｐの表面全周に亘って貼着した状態を示す外観斜視図である。
【００８０】
図７左側は、下層ラベル部４と上層ラベル類６が連設しているラベル類Ｌを使用した場合であり、ボトル容器Ｐの表面全周に亘って二層構造ラベル類Ｌを巻き付け貼着し、その下層ラベル部４の一端部上面の剥離剤層５上に、該下層ラベル部４の他端部にミシン目３にて連設した上層ラベル部６下面の粘着剤層２を貼着したものである。
【００８１】
このラベル類Ｌの上層ラベル部６（紙葉小片）は、剥離剤層５を介して下層ラベル部４から剥離した後にミシン目３を介して切り離すことができる。
【００８２】
図７右側は、下層ラベル部４と上層ラベル類６が分離しているラベル類Ｌを使用した場合であり、ボトル容器Ｐの表面全周に亘って二層構造ラベル類Ｌを巻き付け貼着し、その下層ラベル部４面上の、例えば一端部上面に形成した剥離剤層５上に、上層ラベル部６下面の粘着剤層２を貼着したものである。
【００８３】
このラベル類Ｌの上層ラベル部６（紙葉小片）は、剥離剤層５を介して下層ラベル部４から剥離して切り離すことができる。
【００８４】
図８は、長尺ロール状の剥離シート１１上に、等間隔に連続して二層構造ラベル類Ｌを配置した長尺状（ロール状）のラベルシートＳ（図１（ｂ）、図３、図５、図６参照）を用いて、被着体Ｐの表面に二層構造ラベル類Ｌを貼着する方法を説明する概要側面図である。
【００８５】
ロール状ラベルシートＳＯ  から長尺状のラベルシートＳを間欠送行させながら巻き出し、Ｖターン形状（楔形状）の剥離用ガイド板３１にて長尺状の剥離シート１１をＶターンさせる。
【００８６】
そして、前記ガイド板３１によりＶターンガイドする剥離シート１１から二層構造ラベル類Ｌをガイド鋭角先端方向の外側に剥離して、剥離シート１１を巻取ロールＳｅ  にて巻き取る。
【００８７】
続いて、二層構造ラベル類Ｌを剥離シート１１から剥離しながら、これを挟んでガイド板３１の鋭角先端方向の外側に対向する下側プレス回転ロール３２（貼着ロール）と、そのロール３２上に順次１個ずつ矢印方向から供給される筒状の被着体Ｐの下側周面との間に導入する。なお、被着体Ｐがロール３２上に供給されるまではラベルシートＳの送行を一旦停止させる。
【００８８】
他方、被着体Ｐ上方の前後に設けた駆動回転する昇降押圧回転ロール３３、３４を被着体Ｐの上側周面に下降動作させて押し付け、該被着体Ｐをガイド板３１の鋭角先端方向外側の定位置に保持するとともに、前記プレスロール３２に押圧して回転させる。
【００８９】
同時に、ラベルシートＳの送行を再開し、二層構造ラベル類Ｌを剥離シート１１から剥離しながら、回転する下側プレス回転ロール３２と被着体Ｐ下側周面との間に二層構造ラベル類Ｌを導入して、二層構造ラベル類Ｌの下層ラベル部４を１回転目で被着体Ｐの周面に貼着し、続いて２回転目で被着体Ｐの下層ラベル部４上に上層ラベル部６を貼着し、続いて直ちにラベルシートＳの送行を一旦停止させる。
【００９０】
二層構造ラベル類Ｌが貼着された被着体Ｐは、昇降押圧回転ロール３３、３４の上昇動作により該ロールの保持による定位置より開放されて、適宜移送手段によりプレスロール３２上より矢印方向の外側に搬出され、以上の動作を繰り返すことにより、連続的に二層構造ラベル類Ｌが被着体Ｐの周面に貼着される。
【００９１】
【発明の効果】
本発明の薬剤容器に使用される二層構造ラベル類は、従来の二層構造ラベルと比較して、その製造工程が簡単であり、良好な生産性が得られ、従来の一層構造ラベルの製造と比較しても遜色のない生産スピードと良好な生産性が得られる。
【００９２】
また、下層ラベル部と上層ラベル部とを貼り合わせた後に二層構造ラベル形状に型抜きを行う従来の二層構造ラベルと比較して、下層ラベル部と上層ラベル部とを同一サイズのラベルから異なるサイズのラベルまで製造できる効果がある。
【００９４】
この二層構造ラベル類は、新規な用途展開の可能な二層構造ラベルやシールとして提供でき、例えば、商品など各種物品を、それぞれ複数一括包装した包装容器の表面に貼着することにより、その包装容器から他の包装容器に小分け包装したその物品の使用者に、その商品の使用方法などの情報を伝達するための情報伝達用ラベルやシールとして利用展開でき、その上層ラベル部を下層ラベル部から剥離して切り離し、小分けした上記他の包装容器の表面に貼着することにより、その物品の使用方法を伝達したり、使用上の注意を喚起したりするためなどのラベルとして使用することができる。
【００９５】
そして、医療器具や医薬品など医療用物品を包装する包装容器の表面に貼着することにより、その包装容器から他の包装容器に小分け包装した医療器具や医薬品の使用者に、その医療器具や医薬品の使用方法、医療方法などの情報を伝達するための情報伝達用ラベルやシールとして利用展開でき、その上層ラベル部を下層ラベル部から剥離して切り離し、小分けした上記他の包装容器の表面に貼着することにより、その医療用物品の使用方法を伝達したり、使用上の注意を喚起したりするためなどのラベルとして使用することができる。
【図面の簡単な説明】
【図１】（ａ）〜（ｂ）は本発明の薬剤容器に使用される二層構造ラベル類の一例を示す平面図。
【図２】二層構造ラベル類の貼着方法の一例を説明する部分側断面図。
【図３】二層構造ラベル類の他の例を示す平面図。
【図４】二層構造ラベル類の貼着方法の他の例を説明する部分側断面図。
【図５】二層構造ラベル類のその他の例を説明する平面図。
【図６】二層構造ラベル類のその他の例を説明する平面図。
【図７】二層構造ラベル類を被着体に貼着した状態を説明する外観斜視図。
【図８】二層構造ラベル類を被着体に連続的に貼着する貼着方法を説明する概要側面図。
【図９】従来の二層構造ラベル類を説明する側断面図。
【符号の説明】
Ｌ…二層構造ラベル類  Ｓ…ラベルシート  ＳＯ…巻出ロール
Ｓｅ…巻取ロール  Ｐ…被着体  φ…被着体全周長
ａ1 …下層ラベル部の長さ  ａ2…上層ラベル部の長さ
Ａ…表示情報  Ｂ…伝達用の表示情報
１…ラベル基材  ２…粘着剤層  ３…第２シート基材層  ３ａ…剥離可能部分
４…下層ラベル部  ５…剥離剤層  ６…上層ラベル部
７…印刷層  ８…印刷層
１１…剥離シート
２１…ラベル基材  ２２…粘着剤層  ２３…剥離シート  ２４…下層ラベル部
２５…剥離剤層  ２６…上層ラベル部  ２７…ラベル基材  ２８…粘着剤層
３１…剥離用ガイド板  ３２…プレス回転ロール
３３、３４…押圧駆動回転ロール
【図１】
0004837190.tif 000002
【図２】
0004837190.tif 000003
【図３】
0004837190.tif 000004
【図４】
0004837190.tif 000005
【図５】
0004837190.tif 000006
【図６】
0004837190.tif 000007
【図７】
0004837190.tif 000008
【図８】
0004837190.tif 000009
【図９】
0004837190.tif 000010